(57)【要約】【課題】ハンドル可動式の冷蔵庫扉のハンドル構造を簡素化し低コストでかつ組み付け工数を低減させること。【解決手段】手掛け部６と可動板７と支点となるボス１１と引き出しハンドル８を備え、前記ボスを樹脂ハンドルで一体に構成したことにより、可動式の引き出しを保持し、かつ可動式ハンドルの回転運動をさせるための支点となる横ピンを用いる必要がないので、ハンドル可動式の冷蔵庫扉のハンドル構造が簡素化となり、低コストでかつ組み付け工数を低減させることが可能となる。【選択図】図２
2005337681.tif 000002
【特許請求の範囲】
【請求項１】
手掛け部と可動板と支点を有したハンドルを備え、手掛け部の動作により支点を軸として可動板を動作させ開扉力を低減する引出し扉を有する冷蔵庫において、前記支点部を樹脂ハンドルに一体で構成したことを特徴とした冷蔵庫扉のハンドル。
【請求項２】
手掛け部と可動板と支点を有したハンドルを備え、手掛け部の動作により支点を軸として可動板を動作させ開扉力を低減する引出し扉を有する冷蔵庫において、前記手掛け部の一部に樹脂で形成した反発部材の弾性を利用して前記手掛け部を通常位置に戻すことを特徴とした冷蔵庫扉のハンドル。
【請求項３】
手掛け部と可動板と支点を有したハンドルを備え、手掛け部の動作により支点を軸として可動板を動作させ開扉力を低減する引出し扉を有する冷蔵庫において、前記支点部を樹脂ハンドルに一体で構成し、前記手掛け部の一部に樹脂で形成した反発部材の弾性を利用して前記手掛け部を通常位置に戻すことを特徴とした冷蔵庫扉のハンドル。
【請求項４】
支点部を高摺動性樹脂で形成させたことを特徴とした請求項１または３に記載の冷蔵庫扉のハンドル。
【請求項５】
支点部を高剛性の樹脂で形成させたことを特徴とした請求項１または３に記載の冷蔵庫扉のハンドル。
【請求項６】
手掛け部の一部に樹脂で形成した反発部材は、手掛け部より柔軟性のある樹脂で形成したことを特徴とした請求項２または３に記載の冷蔵庫扉のハンドル。
【発明の詳細な説明】
【技術分野】
【０００１】
本発明は冷蔵庫扉の開扉力を低減するハンドルに関するものである。
【背景技術】
【０００２】
従来、冷蔵庫扉のハンドルに関し、操作性を向上するために、扉の開扉力を低減したものがある。（例えば、特許文献１参照）
図４、図５は、特許文献１に記載された従来の冷蔵庫扉のハンドルの取り付け構造を示すものである。図において、冷蔵庫本体前面に引き出し可能に、引き出し冷蔵庫扉１０１が取り付けられている。前記、引き出し冷蔵庫扉１０１の中央部に手掛け部１０２と、横ピン挿入穴１０３と、可動板１０４を有した引き出しハンドル１０５と、可動板１０４を覆う可動板カバー１０６とからなり、引き出しハンドル１０５の横ピン挿入穴１０３と引き出しハンドル取り付け部材１０７のピン挿入穴１０３に、横ピン１０８を挿入し、また、引き出しハンドル１０５内部の横ピン１０８に挿入した引き出し用反発部材１０９から構成されている。
【特許文献１】特開平１０−１８７２８４号公報
【発明の開示】
【発明が解決しようとする課題】
【０００３】
しかしながら、上記従来の構成では、引き出しハンドル１０５の横ピン挿入穴１０３と引き出しハンドル１０５取り付け部材のピン挿入穴１０３に、横ピン１０８を挿入し、また、引き出しハンドル内部の横ピン１０８に挿入した引き出し用反発部材１０９から構成されているので、この構成であると部品点数が多いためコストが高く、また組み付け工数が多く掛かるという課題を有していた。
【０００４】
本発明は、上記従来の課題を解決するもので可動式の冷蔵庫扉のハンドル構造を簡素化し低コストでかつ組み付け工数を低減させたことを特徴とした可動式の冷蔵庫扉のハンドルを提供することを目的とする。
【課題を解決するための手段】
【０００５】
上記従来の課題を解決するために、本発明の冷蔵庫扉のハンドルは、手掛け部と可動板と支点を有したハンドルを備え、手掛け部の動作により支点を軸として可動板を動作させ開扉力を低減する引出し扉を有する冷蔵庫において、前記支点部を樹脂ハンドルに一体で構成したものである。
【０００６】
これによって、可動式の引き出しを保持し、かつ可動式ハンドルの回転運動をさせるための支点となる横ピンを用いる必要がないので、ハンドル可動式の冷蔵庫扉のハンドル構造を簡素化し低コストでかつ組み付け工数を低減させることが可能となる。
【０００７】
また、本発明の冷蔵庫扉のハンドルは、手掛け部と可動板と支点を有したハンドルを備え、手掛け部の動作により支点を軸として可動板を動作させ開扉力を低減する引出し扉を有する冷蔵庫において、前記手掛け部の一部に樹脂で形成した反発部材の弾性を利用して前記手掛け部を通常位置に戻すものである。
【０００８】
これによって、引き出しハンドル内部の横ピンに、引き出し用反発部材を挿入する必要がないので、ハンドル可動式の冷蔵庫扉のハンドル構造を簡素化し低コストでかつ組み付け工数を低減させることが可能となる。
【発明の効果】
【０００９】
本発明の冷蔵庫扉のハンドルは、ハンドル可動式の冷蔵庫扉のハンドル構造を簡素化し低コストでかつ組み付け工数を低減させることができる。
【発明を実施するための最良の形態】
【００１０】
請求項１に記載の発明は、手掛け部と可動板と支点を有したハンドルを備え、手掛け部の動作により支点を軸として可動板を動作させ開扉力を低減する引出し扉を有する冷蔵庫において、前記支点部を樹脂ハンドルに一体で構成したものであり、可動式の引き出しを保持し、かつ可動式ハンドルの回転運動をさせるための支点となる横ピンを用いる必要がないので、ハンドル可動式の冷蔵庫扉のハンドル構造が簡素化となり、低コストでかつ組み付け工数を低減させることが可能となる。
【００１１】
請求項２に記載の発明は、手掛け部と可動板と支点を有したハンドルを備え、手掛け部の動作により支点を軸として可動板を動作させ開扉力を低減する引出し扉を有する冷蔵庫において、前記手掛け部の一部に樹脂で形成した反発部材の弾性を利用して前記手掛け部を通常位置に戻すものであり、引き出しハンドル内部の横ピンに、引き出し用反発部材を挿入する必要がないので、ハンドル可動式の冷蔵庫扉のハンドル構造を簡素化し低コストでかつ組み付け工数を低減させることが可能となる。
【００１２】
請求項３に記載の発明は、手掛け部と可動板と支点を有したハンドルを備え、手掛け部の動作により支点を軸として可動板を動作させ開扉力を低減する引出し扉を有する冷蔵庫において、前記支点部を樹脂ハンドルに一体で構成し、前記手掛け部の一部に樹脂で形成した反発部材の弾性を利用して前記手掛け部を通常位置に戻すものであり、ハンドル可動式の冷蔵庫扉のハンドル構造が簡素化となり、低コストでかつ組み付け工数を低減させることが可能となる。
【００１３】
請求項４に記載の発明は、請求項１または３に記載の発明において、支点部を高摺動性樹脂で形成させたものであり、引き出し用扉枠部材と可動式ハンドル支点部に生じる摩擦を低減できるので、可動式ハンドル支点部に潤滑剤を用いる必要がないハンドル可動式の冷蔵庫扉のハンドル構造の提供が可能となる。
【００１４】
請求項５に記載の発明は、請求項１または３に記載の発明において、支点部を高剛性の樹脂で形成させたものであり、可動式ハンドル支点部の強度を増すことができるので、手掛け部に力が加わり可動式ハンドルの支点部に力が加わっても可動式ハンドル支点部の損傷がないハンドル可動式の冷蔵庫扉のハンドル構造の提供が可能となる。
【００１５】
請求項６に記載の発明は、請求項２または３に記載の発明において、手掛け部の一部に樹脂で形成した反発部材は、手掛け部より柔軟性のある樹脂で形成したものであり、可動式ハンドルがスムースに動き、かつ耐久性を向上させることができる。
【００１６】
以下、本発明の実施の形態について、図面を参照しながら説明する。なお、この実施の形態によってこの発明が限定されるものではない。
【００１７】
（実施の形態１）
図１は、本発明の実施の形態における冷蔵庫本体正面図を示し、図２は同実施の形態における冷蔵庫扉のハンドル取り付け構造の断面図を示し、図３は同実施の形態における冷蔵庫扉の引き出しハンドルの裏面を示すものである。
【００１８】
図において、引き出し冷蔵庫扉２は、左右の引き出し用扉枠部材３と扉パネル４及び断熱材５とから構成され冷蔵庫本体１前面に、引き出し可能に取り付けられている。前記引き出し冷蔵庫扉２の中央部に手掛け部６と、可動板７を有した引き出しハンドル８と、引き出しハンドル８の、てこの作用点部分９に取り付けた可動板７と、可動板７を覆う可動板カバー１０とからなり、引き出しハンドル８と一体で形成されたボス１１を引き出しハンドル取り付け部材１２のボス挿入穴１３に挿入されている。また、引き出しハンドル８の裏面略中央部には、くの字状の引き出し用反発部材１６を樹脂にて一体で形成し、引き出し用反発部材１６の端部を引き出しハンドル取り付け部材１２に当接させ、扉開閉後引き出しハンドル８の位置を通常時の位置に戻すように設定されている。
【００１９】
以上のように構成された冷蔵庫扉のハンドル取り付け構造について、以下その動作、作用を説明する。
【００２０】
まず、引き出しハンドル８と一体で形成されたボス１１を支点として、引き出しハンドル８を手前に引くことにより、引き出しハンドル８がボス１１を支点として回転し、引き出しハンドル８の、てこの作用点部分９に取り付けた可動板７が可動することで、可動板の端部１４が外箱１５を押すことにより、てこの原理を利用して開扉力を軽くすることができる。
【００２１】
以上のように、本実施の形態においては、引き出しハンドル８と一体で形成されたボス１１を引き出しハンドル取り付け部材１２のボス挿入穴１３に、挿入されている構成とすることにより、可動式の引き出しを保持し、かつ可動式ハンドルの回転運動をさせるための支点となる横ピンを用いる必要がないので、ハンドル可動式の冷蔵庫扉のハンドル構造を簡素化し低コストでかつ組み付け工数を低減させることが可能となる。
【００２２】
また、ボス１１を高摺動性の樹脂材料で形成してもよい。これにより可動式ハンドルを回転運動させてもボス１１の摺動部に潤滑剤を塗布する必要がない。
【００２３】
また、ボス１１を高剛性の樹脂材料で形成してもよい。これにより可動式ハンドルの手掛け部６に無理な力が作用してもボス部１１の損傷を防止することができる。
【００２４】
また、引き出しハンドル８の裏面略中央部には、くの字状の引き出し用反発部材１６を樹脂にて一体で形成し、引き出し用反発部材１６の端部を引き出しハンドル取り付け部材１２に当接させているので、従来のように引き出しハンドル内部の横ピンに、引き出し用反発部材を挿入する必要がなく、扉開閉後引き出しハンドル８の位置を通常時の位置に戻すことができ、ハンドル可動式の冷蔵庫扉のハンドル構造を簡素化し低コストでかつ組み付け工数を低減させることが可能となる。
【００２５】
なお、引き出し用反発部材１６は手掛け部６より柔軟性のある樹脂で形成してもよい。この場合、さらに可動式ハンドルがスムースに動き、かつ耐久性を向上させることができる。
【００２６】
以上のように、本実施の形態においては、引き出しハンドル８内部の横ピン１７に、引き出し用反発部材１８を挿入する必要がないので、ハンドル可動式の冷蔵庫扉のハンドル構造を簡素化し低コストでかつ組み付け工数を低減させることが可能となる。また、引き出し用反発部材１６を柔軟性のある樹脂で形成することにより可動式ハンドルがスムースに動き、かつ耐久性を向上させることができる。
【産業上の利用可能性】
【００２７】
以上のように、本発明にかかる冷蔵庫扉のハンドルは、ハンドル可動式の冷蔵庫扉のハンドル構造を簡素化し低コストでかつ組み付け工数を低減させることができるので、引き出し式収納機器等の用途にも適用できる。
【図面の簡単な説明】
【００２８】
【図１】本発明の実施の形態１における冷蔵庫扉の正面図
【図２】同実施の形態における冷蔵庫扉引き出しハンドルの要部縦断面図
【図３】同実施の形態における冷蔵庫扉引き出しハンドルの裏面図
【図４】従来の冷蔵庫扉のハンドルの要部横断面図
【図５】従来の冷蔵庫扉のハンドルの裏面図
【符号の説明】
【００２９】
１    冷蔵庫本体
２    引き出し冷蔵庫扉
６    手掛け部
７    可動板
８    引き出しハンドル
１１    ボス
１６    反発部材
【図１】
2005337681.tif 000003
【図２】
2005337681.tif 000004
【図３】
2005337681.tif 000005
【図４】
2005337681.tif 000006
【図５】
2005337681.tif 000007